(57)【要約】【課題】  簡単な構造で全周に亘って接触時の抵抗を低減し、浮き止めの移動や破損を防止する釣糸用ガイドとそれを備えた釣竿を提供することである。【解決手段】  釣糸に接触して釣糸を案内可能な少なくとも２個の案内ローラ２ａ，２ｂと、これらの案内ローラ２ａ，２ｂをそれぞれ回動自在に軸支する２本の回転軸３ａ，３ｂと、これらの回転軸３ａ，３ｂを支持する環状の枠体７と、この枠体７に延設され釣竿の竿部の外周面に固定可能な固定部９とを有し、２個の案内ローラ２ａ，２ｂは環状の枠体７の内側空間に配設されるものである。【選択図】  図３
0003133488.tif 000002
【実用新案登録請求の範囲】
【請求項１】
釣糸に接触して前記釣糸を案内可能な少なくとも２個の案内ローラと、これらの案内ローラをそれぞれ回動自在に軸支する２本の回転軸と、これらの回転軸を支持する環状の枠体と、この枠体に延設され釣竿の竿部の外周面に固定可能な固定部とを有し、前記２個の案内ローラは前記環状の枠体の内側空間に配設されることを特徴とする釣竿用ガイド。
【請求項２】
釣糸に接触して前記釣糸を案内可能な少なくとも２個の案内ローラと、これらの案内ローラをそれぞれ回動自在に軸支する２本の回転軸と、これらの回転軸を支持する環状の枠体と、この枠体に延設され釣竿の穂先部の先端に固定可能な固定部とを有し、前記２個の案内ローラは前記環状の枠体の内側空間に配設されることを特徴とする釣竿用ガイド。
【請求項３】
前記枠体の内周面は円形に形成され、前記案内ローラは、そのローラ面の軸方向断面が円弧状に形成され、前記枠体の内周面の少なくとも一部は前記案内ローラのローラ面で構成されることを特徴とする請求項１に記載の釣竿用ガイド。
【請求項４】
前記枠体の内周面は円形に形成され、前記案内ローラは、そのローラ面の軸方向断面が円弧状に形成され、前記枠体の内周面の少なくとも一部は前記案内ローラのローラ面で構成されることを特徴とする請求項２に記載の釣竿用ガイド。
【請求項５】
竿部と、この竿部の外周面に少なくとも１個の釣竿用ガイドを備える釣竿であって、前記釣竿用ガイドは、請求項１又は請求項３に記載の釣竿用ガイドであることを特徴とする釣竿。
【請求項６】
竿部と、この竿部の穂先部の先端に釣竿用ガイドを備え、釣糸が竿部に内挿される中通し釣竿であって、前記釣竿用ガイドは、請求項２又は請求項４に記載の釣竿用ガイドであることを特徴とする釣竿。
【考案の詳細な説明】
【技術分野】
【０００１】
本考案は、魚釣りに用いられ、回動自在な案内ローラを具備する釣竿用ガイドとそれを備えた釣竿に関する。
【背景技術】
【０００２】
一般に、遊動浮き仕掛けとは、釣糸に浮きや浮き止め等を設置し、釣糸上を移動可能な浮きを浮き止めによってその移動を阻止し、目的の水深となる棚を自由に設定する釣法である。ここで、釣糸上を可動する浮きに対して浮き止めは棚を設定するためにも釣糸に固定されなければならないものであるが、通常、釣糸をリールで巻き取ったり、逆に、リールから引き出したりする際には、浮き止めは釣糸とともに釣竿に設置される釣糸用ガイドを通過し、この釣糸用ガイドとの接触によって移動してしまうことがあり、棚の設定に不具合を生じることがあった。そこで、このような不具合を解消するために浮き止めを可動にしたり、釣竿における接触を低減させたりすることが考えられている。
【０００３】
例えば、特許文献１には、「電子ウキ止め」という名称で、釣糸上を自在に固定並びに移動可能な電子ウキ止めに関する発明が開示されている。
この特許文献１に開示された発明は、釣糸の着色部を検出する受光素子と、この受光素子が検出する信号から釣糸の着色部の移動方向と移動数を演算する演算装置と、釣糸の移動を制御する糸止め装置と、この糸止め装置を制御する制御装置とを有するものである。
また、釣糸は着色された複数の着色部と着色されていない複数の非着色部が交互になるように予め配置されており、電子ウキ止め本体にはこの釣糸を挿通するための貫通孔が設けられている。そして、この貫通孔には発光体、受光素子及び糸止め装置が設置されており、受光素子では発光体が発して釣糸を透過した光又は反射する光を受光する。また、電子ウキ止め本体には浮体が内蔵されるとともに演算・制御装置が内設されており、この演算・制御装置では、受光素子の検出信号を受信して、釣糸の移動方向と移動数を演算して予め設定される釣糸の着色部の繰り出し数と比較して糸止め装置の作動を制御する。すなわち、演算・制御装置において糸止め装置を作動させると電子ウキ止めを固定でき、その一方で、糸止め装置の作動を解除すると電子ウキ止めは釣糸上を自在に移動することができる。したがって、釣糸の巻き取り時には、糸止め装置の作動を解除して電子ウキ止めを可動にしておくと、電子ウキ止めが釣竿やリールに接触することがなく移動や摩耗による破損を防止することができる。
【０００４】
また、特許文献２には、「中通し釣竿」という名称で、穂先部の内面に少なくとも２種類のテーパを有し、浮き止め等の移動及び摩耗を防止する中通し釣竿に関する発明が開示されている。
この特許文献２に開示された発明は、釣糸案内凸部を備える中通し釣竿の穂先部内面において、元側内面には略ストレートに近い値の第１のテーパが形成され、先端側内面には第１のテーパよりも大きい値の第２のテーパが形成されるものである。
また、中通し釣竿は、元竿部と中竿部と穂先部がそれぞれ継ぎ合わされた形状であり、元竿部にはリールと釣糸導入部が設置され、リールから引き出される釣糸は釣糸導入部から竿内に挿入されて穂先部の先端に設置されるトップガイドから竿外へ引き出される。また、元竿部、中竿部及び穂先部の内面には螺旋状の釣糸案内凸部が設けられている。そして、穂先部内面の元側内面の第１のテーパＴ1及び先端側内面の第２のテーパＴ2は、元側内面の最大径、最小径、幅をそれぞれＤ1、Ｄ2、Ｌ1とし、先端側内面の最大径、最小径、幅をそれぞれＤ2、Ｄ3、Ｌ2とすると、Ｔ1=（Ｄ1−Ｄ2）／Ｌ1及び、Ｔ2=（Ｄ2−Ｄ3）／Ｌ2である。このように異なる値の２種類のテーパを設けることによって穂先部は、単一のテーパが形成された穂先部に比べて、その先端の細径領域が短縮化され、釣糸上に設置される浮き止めは釣糸が穂先部の内部を通る際に釣糸案内凸部に接触し難くなり、浮き止めの摩耗や移動を防止することができる。さらに、穂先部は先調子が出しやすくなったり、穂先部内に引き込まれる水は元側に移行し難くなったり、仕掛け等の飛距離が増加したりするという効果も得られる。
【０００５】
一方、釣糸用ガイドにおける接触時の抵抗の低減に関しては、特許文献３には、「釣糸用ガイド」という名称で、釣糸案内ローラを備えて、糸抵抗が小さく、釣糸を円滑に案内する釣糸用ガイドに関する発明が開示されている。
この特許文献３に開示された発明は、釣糸案内ローラを回転自在に支持する支持部と、この支持部の下端から延出されて竿管に固定する足部を備えるフレームと、このフレームに設けられ案内ローラに近接する位置で釣糸を案内する釣糸案内部とを有するものである。また、釣糸案内部は、足部を竿管に固定した際に、案内ローラの軸心からこの釣糸案内部の上端までの高さ方向距離を、足部の下側から案内ローラの軸心の位置までの高さ方向距離よりも大きくしている。
そして、この釣糸用ガイドは、トローリングロッドやボートロッド等の海釣り用の釣竿の竿管に釣糸を案内するために複数個が設置されるものであり、設置された各釣糸用ガイドにおいては、足部が竿管に固定されており、この竿管に対して垂直方向に沿う高さ方向で見たときに、案内ローラの中心軸と足部の下側で竿管までの高さ方向距離ｈ１を、この中心軸と釣糸案内部の上端までの間の高さ方向距離ｈ２よりも小さくし、この高さ方向距離ｈ１を支持部の高さＨの半分以下となるように設定されている。したがって、これにより、釣糸を案内するための釣糸案内スペースが大きくなり、釣糸に大きな抵抗を与えることがなく、滑らかに案内することができる。また、釣糸案内性の向上とともに小型化をも可能にし、バランスのよい釣糸ガイドを提供することができる。
【特許文献１】特開２００５−２７８４９４号公報
【特許文献２】特開２００１−１９０１８７号公報
【特許文献３】特開２００５−１０２６２１号公報
【考案の開示】
【考案が解決しようとする課題】
【０００６】
しかしながら、上述の従来技術である特許文献１に開示された発明では、浮き止めを可動にすることによって、釣糸用ガイドやリールとの接触を避けて浮き止めの損傷を防止したりすることを可能にしているが、各種部品を装備させたり、また、水中で使用するためには防水機能を付与することも必要であり、浮き止めが高価になるという課題があった。
【０００７】
また、特許文献２に開示された発明においては、中通し釣竿の製造において、テーパの異なる竿管を二段階で作製しなければならず、作業効率が低下するとともに製造コストが嵩むという課題があった。
【０００８】
そして、特許文献３に開示された発明では、釣糸用ガイドに設置される案内ローラは基本的には下面側の１個であり、投げ釣りにおいては、釣糸を引き出す際に釣糸が上面側に接触することが多かったり、釣糸用ガイドの周方向に螺旋を描きながら移動したりするので、下面側に１個の案内ローラが設置される本発明では、釣糸用ガイドの上面側又は周方向における接触時の抵抗を低減することが困難であるという課題があった。
【０００９】
本考案はかかる従来の事情に対処してなされたものであり、簡単な構造で釣糸の通し孔の全周に亘って接触時の抵抗を低減し、浮き止めの移動や破損を防止する釣糸用ガイドとそれを備えた釣竿を提供することを目的とする。
【課題を解決するための手段】
【００１０】
上記目的を達成するため、請求項１記載の考案である釣糸用ガイドは、釣糸に接触して釣糸を案内可能な少なくとも２個の案内ローラと、これらの案内ローラをそれぞれ回動自在に軸支する２本の回転軸と、これらの回転軸を支持する環状の枠体と、この枠体に延設され釣竿の竿部の外周面に固定可能な固定部とを有し、２個の案内ローラは環状の枠体の内側空間に配設されるものである。
このような構成の釣糸用ガイドによれば、固定部を釣竿の竿部に挿通しながら固定して、固定部に延設される環状の枠体の内側空間に配設される２個の案内ローラの間に釣糸を挿通すると、２個の案内ローラは２本の回転軸を支軸として回動しながら釣糸を釣竿の穂先側又は元竿側に案内するという作用を有する。
【００１１】
また、請求項２記載の考案である釣糸用ガイドは、釣糸に接触して釣糸を案内可能な少なくとも２個の案内ローラと、これらの案内ローラをそれぞれ回動自在に軸支する２本の回転軸と、これらの回転軸を支持する環状の枠体と、この枠体に延設され釣竿の穂先部の先端に固定可能な固定部とを有し、２個の案内ローラは環状の枠体の内側空間に配設されるものである。
このような構成の釣糸用ガイドにおいては、固定部を釣竿の穂先部の先端に固定して、固定部に延設される環状の枠体の内側空間に配設される２個の案内ローラの間に釣糸を挿通すると、２個の案内ローラは２本の回転軸を支軸として回動しながら釣糸を釣竿の穂先側又は元竿側に案内するという作用を有する。
【００１２】
そして、請求項３記載の考案は、請求項１に記載の釣糸用ガイドにおいて、枠体の内周面は円形に形成され、案内ローラは、そのローラ面の軸方向断面が円弧状に形成され、枠体の内周面の少なくとも一部は案内ローラのローラ面で構成されるものである。
このような構成の釣糸用ガイドにおいては、請求項１に記載の考案の作用に加えて、枠体の内周面が円形に形成されるとともに、枠体の一部となる案内ローラのローラ面の軸方向の断面が円弧状に形成されることにより、釣糸が挿通可能な挿通孔が略円形に形成されるという作用を有する。
【００１３】
また、請求項４記載の考案は、請求項２に記載の釣糸用ガイドにおいて、枠体の内周面は円形に形成され、案内ローラは、そのローラ面の軸方向断面が円弧状に形成され、枠体の内周面の少なくとも一部は案内ローラのローラ面で構成されるものである。
このような構成の釣糸用ガイドにおいては、請求項２に記載の考案の作用に加えて、請求項３に記載の考案と同様の作用を有し、釣糸は略円形の挿通孔に挿通可能となる。
【００１４】
そして、請求項５記載の考案である釣竿は、竿部と、この竿部の外周面に少なくとも１個の釣竿用ガイドを備える釣竿であって、釣竿用ガイドは、請求項１又は請求項３に記載の釣竿用ガイドであるものであり、請求項１又は請求項３に記載の釣糸用ガイドの作用を備えた釣竿となる。
【００１５】
また、請求項６記載の考案である釣竿は、竿部と、この竿部の穂先部の先端に釣竿用ガイドを備え、釣糸が竿部に内挿される中通し釣竿であって、釣竿用ガイドは、請求項２又は請求項４に記載の釣竿用ガイドであるものであり、請求項２又は請求項４に記載の釣糸用ガイドの作用を備えた中通し釣竿となる。
【考案の効果】
【００１６】
以上説明したように、本考案の請求項１に記載の釣糸用ガイドにおいては、２個の案内ローラが回動自在に設置されているので、これら２個の案内ローラの間に挿通される釣糸は案内ローラとの接触時の抵抗を低減することができる。したがって、釣糸に固定される浮き止めにおいても２個の案内ローラとの接触時の抵抗が小さくなり、浮き止めの移動や摩耗による破損を防止することができる。
【００１７】
また、本考案の請求項２に記載の釣糸用ガイドにおいても、請求項１に記載の釣糸用ガイドと同様に、釣糸及び釣糸に固定される浮き止めは２個の案内ローラに接触してもこれらの回動によって接触時の抵抗を低減でき、浮き止めの移動や摩耗による破損を防止することができる。
【００１８】
そして、本考案の請求項３及び請求項４に記載の釣糸用ガイドにおいては、釣糸が挿通される挿通孔が略円形であるので、釣糸及び釣糸に固定される浮き止めは引っかかり難く円滑に挿通されることが可能となる。
【００１９】
また、本考案の請求項５に記載の釣竿においては、請求項１又は請求項３に記載の釣糸用ガイドを備えて、釣糸及び釣糸に固定される浮き止めが円滑に穂先側又は元竿部側に案内されて、棚の設定が維持可能で釣果の良好な釣竿となる。
【００２０】
そして、本考案の請求項６に記載の釣竿においては、請求項２又は請求項４に記載の釣糸用ガイドを備え、中通し釣竿においても、釣糸及び釣糸に固定される浮き止めが円滑に穂先側又は元竿部側に案内されて棚の設定を維持することができる。
【考案を実施するための最良の形態】
【００２１】
以下に、本考案の最良の実施の形態に係る釣糸用ガイドとそれを備えた釣竿を図１乃至図５を参照しながら説明する。
まず、最初に、遊動浮き仕掛けについて図１を用いて説明する。
図１（ａ）は、釣糸の先端部分を説明するための概念図であり、（ｂ）は釣糸の先端部分を水中に投入した際の概念図である。
図１（ａ）において、釣糸１０は、図示していないが、釣竿のリール部分に巻回された釣糸で穂先部から繰り出されたものであり、その先端には釣針１１が設置されている。そして、釣糸１０の先端側から、浮き１２、シモリ玉１３、浮き止め１４の順でそれぞれが釣糸１０に設置されている。
浮き１２には釣糸１０が挿通する挿通孔が釣糸１０よりも十分大きく形成されており、釣糸１０上を自在に移動することができる。図中では、自重によって釣糸１０の下方に位置している。また、浮き止め糸１４は釣糸１０に結着されて釣糸１０に固定されている。この浮き止め糸１４は、浮き１２が浮き止め糸１４よりも上方へ移動するのを抑止するものであるが、浮き１２はその挿通孔が大きいために浮き止め糸１４を通過してしまうので、浮き１２の浮き止め糸１４の通過を防止するために浮き１２と浮き止め糸１４の間にシモリ玉１３が設置されている。シモリ玉１３は浮き１２の挿通孔よりも大きく形成され、また、その挿通孔は浮き止め糸１４よりも小さく形成されている。
【００２２】
次に、この仕掛けを海中等の水中に投入すると、釣針１１は、図示していないが、設置されるオモリによって釣糸１０を釣竿のリールから繰り出しながら海底の方向へ沈んでいく。
一方、浮き１２は浮体であるため釣竿の方向に釣糸１０上を移動して浮き止め糸１４の位置で停止して水面を浮遊する。このように遊動浮き仕掛けでは、釣糸１０の任意の位置に結着可能な浮き止め糸１４によって浮き１２の位置を自由に設定することができ、狙いの棚を探ることが可能となる。ここで、浮き止め糸１４が釣糸１０上を容易に移動してしまうと目的の水深の棚が得られなくなるので、浮き止め糸１４の釣糸１０上の固着が切望されるところであるが、浮き止め糸１４は釣糸１０のリールによる巻き取りやリールからの引き出しの際に、釣竿の釣糸用ガイドとの接触によって移動したり、また、摩耗して破損したりしているのが実情である。
なお、遊動浮き仕掛けの設置方法は、図１に示すもの以外にも、複数のシモリ玉を設置したり、いわゆるガン玉を設置したり、また、シモリ玉が内蔵された浮きを使用したりすることも可能であり、目的の魚の種類によって自由に変更することができる。
【００２３】
続いて、本考案の第１の実施の形態に係る釣糸用ガイドとそれを備えた釣竿を図２及び図３を参照しながら説明する（特に、請求項１、請求項３及び請求項５に対応）。
図２は、本考案の第１の実施の形態に係る釣竿用ガイドを備えた釣竿の概念図である。
図２において、釣竿１５は、元竿部１６、中竿部１７及び穂先部１８で構成されるものであって、元竿部１６には、リール１９を装着可能なリールシート２０を介して使用者が把持するためのフロントグリップ２２とリアグリップ２１が設置されている。そして、リール１９には釣糸１０が巻着されており、釣糸１０はリール１９から引き出されて、元竿部１６、中竿部１７及び穂先部１８の竿管の外周面にそれぞれ設置される４個の釣糸用ガイド１ｂに挿通されて、最後に、穂先部１８の先端から少し突き出るように設置されるトップガイドである釣糸用ガイド１ａを通って竿外につながっている。なお、図示していないが、竿外に引き出される釣糸１０の先端部分には、図１において説明した釣針、浮き、シモリ玉及び浮き止め糸が設置されている。また、釣竿１５において、中竿部１７は複数設置してもよく、また、元竿部１６、中竿部１７及び穂先部１８の各竿管の材質には、エポキシ樹脂等の合成樹脂を母体として、カーボン繊維等の強化繊維で強化したもの等を用いることができる。
釣竿１５に設置される釣糸用ガイド１ａ，１ｂは、詳細については後述するが、２個の案内ローラを備えて回動しながら釣糸１０を案内するので釣糸１０との接触において抵抗が小さく、釣糸１０に結着される浮き止め糸が案内ローラを通過しても浮き止め糸が釣糸１０上を容易に移動したり摩耗して破損したりするのを防止することができ、浮き止め糸による棚の設定を維持することが可能になっている。
【００２４】
次に、釣糸用ガイドについて図３を用いて説明する。
図３（ａ）は、本考案の第１の実施の形態に係る釣竿用ガイドの外形図であり、（ｂ）は同じく釣竿用ガイドの縦断面図である。
図３（ａ）において、釣糸用ガイド１ｂは、略中央に窓部７ａを形成する環状の枠体７と、この窓部７ａの上方と下方にそれぞれ配置され、枠体７に内設される２個の案内ローラ２ａ，２ｂと、釣竿の竿管に挿入して固定する固定リング９と、この固定リング９と枠体７を連結する連結部材８とを有している。但し、この連結部材８を設けることなく、枠体７に連結部材の機能を付加させて一体に構成し、固定リング９と枠体７を連結するようにしてもよい。
そして、案内ローラ２ａ，２ｂのローラ面の軸方向断面はいずれも円弧状に形成されており、案内ローラ２ａ及び案内ローラ２ｂの両端部がそれぞれ隣接して円形で釣糸が挿通可能な釣糸挿通孔６を形成している。なお、案内ローラ２ａ，２ｂのローラ表面は摩擦係数が小さく滑りやすい材質で形成されることが好ましい。
また、環状の枠体７において、本願でいう「環状」とは、必ずしも「円形」のみを意味しているのではなく、多角形などの角を有するものでもよく、端部を備えることなく連続して繋がっている状態を示すものである。したがって、枠体７及び窓部７ａの形状は特に限定されるものではなく、四角形状以外にも多角形や円形にすることができる。また、枠体７と窓部７ａの形状が必ずしも一致する必要はなく、枠体７が四角形状で、窓部７ａが円形状など、様々な形状の組み合わせによって構成することもできる。なお、窓部７ａを円形状にして、その一部が案内ローラ２ａ，２ｂのローラ面となるように配置してもよい。
また、釣糸用ガイド１ｂは、釣竿の竿管に複数個を設置して釣糸を案内するものであるが、固定リング９及び連結部材８の形状を変えて、釣竿の穂先部の先端に設置することも可能であり、この場合、釣糸用ガイド１ｂはトップガイド（釣糸用ガイド１ａ）として機能する。
【００２５】
次に、図３（ｂ）において、釣糸用ガイド１ｂの縦方向の断面をみると、枠体７の内部では２個の案内ローラ２ａ，２ｂが縦方向（上下方向）に並べて設置されており、前述したが、これらの案内ローラ２ａ，２ｂのローラ面は軸方向の断面がそれぞれ円弧状に形成され、案内ローラ２ａ，２ｂの両端部が隣接することにより中央に略円形の釣糸挿通孔６を形成している。そして、案内ローラ２ａ，２ｂのそれぞれには回転軸３ａ，３ｂが挿通されており、回転軸３ａ，３ｂを各々支軸として案内ローラ２ａ，２ｂは回動自在になっている。また、回転軸３ａ，３ｂは、枠体７の内部に設置される支持部材４ａ，４ｂ，４ｃ，４ｄによって軸止され、回転軸３ａ，３ｂの各端部には、スラスト軸受５ａ，５ｂ，５ｃ，５ｄが設置されている。これらのスラスト軸受５ａ，５ｂ，５ｃ，５ｄは、軸方向へ係る荷重を支え、すなわち、回転軸３ａ，３ｂが支持部材４ａ，４ｂ，４ｃ，４ｄの内部の側面に押しあてられる方向への力を支えて、軸に発生する摩擦を抑制している。
【００２６】
本第１の実施の形態において、２個の案内ローラ２ａ，２ｂによって形成される釣糸挿通孔６に釣糸が挿通されると、釣糸は２個の案内ローラ２ａ，２ｂのいずれかに接触しながら釣糸挿通孔６を移動する。このとき、２個の案内ローラ２ａ，２ｂは回動自在であるので、釣糸がローラ面に接触すると案内ローラ２ａ，２ｂは釣糸の移動方向と同方向に回転し、接触時の抵抗を低く保持することが可能である。したがって、釣糸を円滑に案内することができ、釣糸の摩耗や破損を防止することができる。
さらに、釣糸に設置される浮き止め糸が案内ローラ２ａ，２ｂに接触する際においても、案内ローラ２ａ，２ｂが回転することによって浮き止め糸との摩擦抵抗を低減でき、その結果、浮き止め糸の釣糸上の移動の防止や浮き止め糸の磨耗による破損を防止することが可能である。
また、特に、投げ釣りにおいて、釣糸をリールから引き出す際には、釣糸は釣糸用ガイドの釣糸挿通孔の上方に接触したり、釣糸挿通孔内を、螺旋を描きながら接触して移動したりすることが多い。本第１の実施の形態においては、釣糸挿通孔６を全周に亘って案内ローラ２ａ，２ｂが配置されているので、いずれの箇所に釣糸又は浮き止め糸が接触してもこれらとの抵抗を小さく保持することが可能になっている。すなわち、仕掛けを投げる際、あるいは魚を釣り上げる際のいずれの場合でも、２個の案内ローラ２ａ，２ｂを備えているため、釣糸がいずれの部分に接触しても回動可能な案内ローラの内周面であることから、釣糸や浮き止め糸との摩擦力の発生を極力避けることができ、これらの損傷を防止することができるのである。
さらに、釣糸挿通孔６が略円形であるので、釣糸挿通孔６が多角形の場合のように角が存在せず、釣糸が引っかかり難い構造になっている。
なお、本実施の形態においては、２個の案内ローラ２ａ，２ｂのローラ面の軸方向の断面がそれぞれ円弧状に形成されており、その円弧の中心角は、略１８０度であり、それぞれ半周を形成しているが、常に中心角を１８０度とする必要はなく、１２０度など１８０度以下としてもよい。但し、あまり中心角を小さくすると、釣糸挿通孔６に占めるローラ面の割合が小さくなるので、釣糸や浮き止め糸との摩擦力低減や損傷防止などの効果が薄れることになってしまうので留意する必要がある。
また、案内ローラ２ａ，２ｂや回転軸３ａ，３ｂは摩擦係数が小さく滑りやすい材質であると同時に、耐摩耗性のある材料で形成されることが好ましい。例えば、ＳＵＳ３０４などのステンレス鋼やチタン、チタン合金、あるいは硬質プラスチックでもよい。
【００２７】
次に、本考案の第２の実施の形態に係る釣糸用ガイドとそれを備えた釣竿を図４及び図５を参照しながら説明する（特に、請求項２、請求項４及び請求項６に対応）。
図４は、本考案の第２の実施の形態に係る釣竿用ガイドを備えた中通し釣竿の概念図である。
図４において、中通し釣竿２４は、元竿部２５、中竿部２６及び穂先部２７を備え、元竿部２５にはフロントグリップ２２とリアグリップ２１と、これらのグリップに介設されるリールシートと、釣糸導入部２８が具設されている。そして、リールシート２０に装着されるリール１９からは釣糸１０が引き出され、この釣糸１０は釣糸導入部２８から元竿部の内部に導入され、順次、中竿部２６及び穂先部２７の内部を経由して、釣糸用ガイド２３を経て竿外に出される。そして、図示していないが、竿外に引き出された釣糸１０の先端には、遊動浮き仕掛けとなる釣針、浮き、シモリ玉及び浮き止め糸がそれぞれ設置されている。
なお、中通し釣竿２４を構成する元竿部２５、中竿部２６及び穂先部２７は、エポキシ樹脂等の合成樹脂を母体として、カーボン繊維等の強化繊維で強化した材質等を用いるとよく、また、中竿部２６は複数設置することができる。
そして、詳細については後述するが、釣糸用ガイド２３は２個の案内ローラを備えて案内ローラが回動しながら釣糸１０を穂先側又は元竿部側に案内するので釣糸や浮き止め糸との接触時の摩擦抵抗が小さく、釣糸や浮き止め糸の損傷や浮き止め糸の移動を防止することができる。また、釣糸導入部２８の釣糸出口部にも釣糸用ガイド２３を備えている。すなわち、中通し釣竿２４における釣糸１０の入口と出口において、釣糸１０の摩擦抵抗を小さくして、釣糸１０の損傷を防止しようとするものである。
【００２８】
次に、図５は、本考案の第２の実施の形態に係る釣竿用ガイドの概念図である。
図５において、釣糸用ガイド２３は、窓部７ａを備える環状の枠体７と、この枠体７の窓部７ａの上方と下方に配置される２個の案内ローラ２ａ，２ｂと、これら２個の案内ローラ２ａ，２ｂをそれぞれ回動自在に軸支する回転軸３ａ，３ｂと、図示していないが、枠体７に延設され、中通し釣竿の穂先部の先端に固定可能な固定部材とを有している。この固定部材は、例えば、枠体７から垂直に、図の背面方向に延設され、中通し釣竿２４の穂先部２７の内径と略同一の外径を備えたガイド部や、あるいは逆に穂先部２７の外径と略同一の内径を備えたガイド部などが考えられる。前者は穂先部２７の内部に、ガイド部を収容し、後者は穂先部２７の外部に、ガイド部を収容するように構成されるものである。
ドーナツ状の枠体７の内側の円形の窓部７ａの周面において、案内ローラ２ａ，２ｂが露出して、釣糸を案内するものである。
案内ローラ２ａ，２ｂの側端部には、スラストワッシャー５ｅ，５ｆ，５ｇ，５ｈが設けられており、このスラストワッシャー５ｅ，５ｆ，５ｇ，５ｈは、回転軸３ａ，３ｂの端部に形成される支持部材４ａ，４ｂ，４ｃ，４ｄによって、固定されている。案内ローラ２ａ，２ｂの回転に伴って、案内ローラ２ａ，２ｂの側端面は、このスラストワッシャー５ｅ，５ｆ，５ｇ，５ｈの端面と接触しながら回転し、摩擦を抑制している。スラストワッシャー５ｅ，５ｆ，５ｇ，５ｈの案内ローラ２ａ，２ｂの側端面との接触面及び／又は支持部材４ａ，４ｂ，４ｃ，４ｄの側面との接触面には、密着防止のために凹凸を設けるように構成するとよい。
また、案内ローラ２ａ，２ｂの側端部は、円筒状に形成されているが、これは、案内ローラ２ａ，２ｂの側端部と枠体７の接触部分が、回転によって磨耗したり欠けたりした場合に、案内ローラ２ａ，２ｂの側端面と枠体７の隙間に釣糸が引っ掛かることで損傷しないように配慮したものである。これは、図５に示されるように、２個の案内ローラ２ａ，２ｂのローラ面の軸方向の円弧状に形成された断面において、その円弧の中心角が、１８０度よりも小さく、離れている場合の他、例えば、図３（ｂ）の案内ローラ２ａ，２ｂのように、側端部が互いに接触しているような場合においても同様である。従って、図３（ｂ）では、案内ローラ２ａ，２ｂの側端部は円筒状に形成されていないが、図５に示されるように、側端部を円筒状に形成することが望ましい。さらに、図３（ｂ）に示される第１の実施の形態に係る釣糸用ガイドにおいても、スラストワッシャー５ｅ，５ｆ，５ｇ，５ｈと、回転軸３ａ，３ｂの端部に形成される支持部材４ａ，４ｂ，４ｃ，４ｄを備えるような構成としてもよい。
また、ローラ面が摩擦係数の小さい材質で形成される案内ローラ２ａ，２ｂにおいて、ローラ面の軸方向の断面はいずれも円弧状であり、これらの円弧状のローラ面は枠体７の窓部７ａに連続するように配置されて窓部７ａの一部となり、窓部７ａとともに略円形で釣糸が挿通可能な釣糸挿通孔６を形成している。
したがって、この釣糸挿通孔６に挿通される釣糸は、移動時に案内ローラ２ａ，２ｂに接触しても案内ローラ２ａ，２ｂの回動によって接触時の抵抗を低く保つことができ、釣糸の損傷を防止することができる。さらに、釣糸に結着される浮き止め糸についても同様であり、浮き止め糸が釣糸挿通孔６の通過時に案内ローラ２ａ，２ｂに接触しても案内ローラ２ａ，２ｂの回動によって接触時の抵抗が小さくなるので、浮き止め糸の移動や損傷を防止することができる。
なお、釣糸挿通孔６の全周に亘って案内ローラ２ａ，２ｂのローラ面を設置すると、釣糸挿通孔６において釣糸がいずれに箇所に接触しても接触時の抵抗を低減することができるが、図示するような案内ローラ２ａ，２ｂの配置においても接触時の抵抗を減ずる効果は十分に発揮されるものである。もちろん、図３（ｂ）のように全周に亘って、案内ローラ２ａ，２ｂの周面が露出している場合の方が、釣糸の接触時における摩擦抵抗を少なくすることができる方が望ましい。なお、前述のとおり、案内ローラ２ａ，２ｂの各端部と窓部７ａの端部においては、釣糸や浮き止め糸が引っ掛かり難い形状に形成することが望ましい。
【００２９】
このように構成される本第２の実施の形態においては、釣糸用ガイド２３は案内ローラ２ａ，２ｂの回動によって釣糸や浮き止め糸の接触時の抵抗を低く保つことが可能であり、この釣糸用ガイド２３をトップガイドとして設置すると、釣糸及び浮き止め糸の損傷や浮き止め糸の移動を防止し、釣果の良好な中通し釣竿を実現することができる。
【産業上の利用可能性】
【００３０】
以上説明したように、請求項１乃至請求項６に記載された本考案は、浮き止め糸の移動や損傷を確実に防止できる釣糸用ガイドとそれを備えた釣竿を提供可能であり、釣具の製造等において利用可能である。
【図面の簡単な説明】
【００３１】
【図１】（ａ）は釣糸の先端部分を説明するための概念図であり、（ｂ）は釣糸の先端部分を水中に投入した際の概念図である。
【図２】本考案の第１の実施の形態に係る釣竿用ガイドを備えた釣竿の概念図である。
【図３】（ａ）は本考案の第１の実施の形態に係る釣竿用ガイドの外形図であり、（ｂ）は同じく釣竿用ガイドの縦断面図である。
【図４】本考案の第２の実施の形態に係る釣竿用ガイドを備えた中通し釣竿の概念図である。
【図５】本考案の第２の実施の形態に係る釣竿用ガイドの概念図である。
【符号の説明】
【００３２】
１ａ，１ｂ…釣竿用ガイド  ２ａ，２ｂ…案内ローラ  ３ａ，３ｂ…回転軸  ４ａ，４ｂ，４ｃ，４ｄ…支持部材  ５ａ，５ｂ，５ｃ，５ｄ…スラスト軸受  ５ｅ，５ｆ，５ｇ，５ｈ…スラストワッシャー  ６…釣糸挿通孔  ７…枠体  ７ａ…窓部  ８…連結部材  ９…固定リング  １０…釣糸  １１…釣針  １２…浮き  １３…シモリ玉  １４…浮き止め糸  １５…釣竿  １６…元竿部  １７…中竿部  １８…穂先部  １９…リール  ２０…リールシート  ２１…リアグリップ  ２２…フロントグリップ  ２３…釣竿用ガイド  ２４…中通し釣竿  ２５…元竿部  ２６…中竿部  ２７…穂先部  ２８…釣糸導入部
【図１】
0003133488.tif 000003
【図２】
0003133488.tif 000004
【図３】
0003133488.tif 000005
【図４】
0003133488.tif 000006
【図５】
0003133488.tif 000007